(57)【要約】【課題】クローンを作製することが不可能なカード鍵及びこのカード鍵により施錠／解錠されるカード錠を得る。【解決手段】  カードに偶然により得られる、ランダムに配置された金属粒子，繊維片，ホログラムチップ，蛍光体粒子，放射性物質粒子，構造色発現体からなる鍵情報を付与する。カード鍵を錠に挿入し、カード鍵の鍵情報に基づくデータをカード錠に保存することにより、そのカード鍵をカード錠に登録する。データは錠に格納されている暗号鍵を用いて暗号化される。錠の施・解錠は錠に挿入されたカード鍵のデータと、錠に登録されている暗号化データを復号したデータとの対比を行うことによって、施・解錠を行う。また、カード鍵の情報に基づくデータを暗号化してカード鍵に内蔵される自己カード鍵情報チップに保存する。
2010137694.tif 000002
【特許請求の範囲】
【請求項１】
表面にランダムに形成された３次元的鍵情報が分離不能に付与されたカードからなるカード鍵、前記カード鍵の３次元的鍵情報により施錠／解錠するカード錠からなるカード鍵・カード錠システム。
【請求項２】
前記３次元的鍵情報が、透明媒体のランダムな位置に混入された金属粒子からなる請求項１のカード鍵。
【請求項３】
前記３次元的鍵情報が、透明媒体のランダムな位置に混入された繊維片からなる請求項１のカード鍵。
【請求項４】
前記３次元的鍵情報が、ランダムな位置に形成されたホログラムピットからなる請求項１のカード鍵。
【請求項５】
前記３次元的鍵情報が、透明媒体のランダムな位置に混入された蛍光体粒子からなる請求項１のカード鍵。
【請求項６】
前記３次元的鍵情報が、透明媒体のランダムな位置に混入された構造色チップからなる請求項１のカード鍵。
【請求項７】
前記３次元的鍵情報が、ランダムな位置に配置された構造色発現液滴からなる請求項１のカード鍵。
【請求項８】
前記３次元的鍵情報が、不均一にに塗布された構造色発現層からなる請求項１のカード鍵。
【請求項９】
前記３次元的鍵情報が、透明媒体のランダムな位置に混入された構造色チップからなる請求項１のカード鍵。
【請求項１０】
前記３次元的鍵情報が、ランダムな位置に配置された放射性物質粒子からなる請求項１のカード鍵。
【請求項１１】
前記３次元的鍵情報が、多色情報を有する請求項４，請求項５，請求項６，請求項７，請求項８及び請求項９のカード鍵。
【請求項１２】
前記カードがシャッタを有するケースに収納された請求項１のカード鍵。
【請求項１３】
さらに、自己証明チップを有し、前記自己証明チップに前記３次元的鍵情報の暗号化データが格納されている請求項１のカード鍵。
【請求項１４】
前記カード鍵のランダムな位置の３次元的鍵情報を登録し、登録された３次元的鍵情報が読み取られたときに施錠／解錠する請求項１のカード錠。
【請求項１５】
前記３次元的鍵情報を暗号化して登録する請求項１３のカード錠。
【発明の詳細な説明】
【技術分野】
【０００１】
この出願に係る発明は、カード形状を有するカード鍵を用いて施錠−解錠する鍵−錠システムに係るものであり、特に自動車に採用して盗難防止を目的とするイモビライザ−(immobiliser)システムに用いるカード鍵及びカード鍵により施錠／解錠されるカード錠に係るものである。
【背景技術】
【０００２】
いわゆる鍵の形状を有する機械的な鍵は、厚さが必要なため携帯に便利とはいえない。その対策としてクレジットカード等の形状に合わせたカード鍵が普及しつつある。カード鍵は種々の材料から構成されたカード状の本体に、機械的情報、磁気的情報、ＩＣチップに格納されたデータ、等を施錠／解錠の可否を錠側で判断している。【０００３】
また、自動車の盗難防止を目的とするイモビライザ−(immobiliser)システムが普及しつつあるが、このイモビライザーシステムでは鍵に埋め込まれたＩＣチップのＩＤがその自動車に適合しているか否かを車両側のコンピュータが判断し、適合していると判断したときにはエンジンキーを使用可能にし、適合していないと判断したときにはエンジンキーを使用不能にする。【０００４】
これらのイモビライザの鍵情報は暗号化されていたとしても、暗号が解読された例もあり、解読された鍵情報を用いて鍵の複製を得ることは容易である。
さらに、鍵のクローンが作成されれば、複製防止は全く期待できない。
【先行技術文献】
【特許文献】
【０００５】
【特許文献１】特開平１０−４４６５０号公報
【特許文献２】特開２００３−２９６３６号公報
【特許文献３】ＷＯ２００７／０７２７９３号公報
【特許文献４】ＷＯ２００７／０７２７９４号公報
【特許文献５】ＷＯ２００７／０７２７９５号公報
【特許文献６】ＷＯ２００７／０７２７９６号公報
【特許文献７】ＷＯ２００８／１４３０８７号公報
【発明の概要】
【発明が解決しようとする課題】
【０００６】
マスター鍵のような特別な鍵を例外として、鍵は特定の錠を施錠／解錠し、複数の錠を施錠／解錠する必要はない。
この出願では、クローンを作製することが不可能なカード鍵及びこのカード鍵により施錠／解錠されるカード錠を得ることを課題とする。【０００７】
複数の関係者が出入りする施設において、入構あるいは入室を規制する必要がある場合には鍵を複数用意する、暗証番号を用いる等の手段が採用されるが、これらの手段によっては、入構者あるいは入室者を把握することができない。
この出願では、そのような場合であっても入構者あるいは入室者を把握することができるカード鍵及びこのカード鍵により施錠／解錠されるカード錠を提供する。
【課題を解決するための手段】
【０００８】
課題を解決するために、この出願では以下に示す手段を提供する。【０００９】
カードに形成する情報担体には、特開平１０−４４６５０号公報に示された透明媒体に混入された金属粒子、特開２００３−２９６３６号公報に示された透明媒体に混入された繊維片、ＷＯ２００７／０７２７９４号公報に示されたホログラム、ＷＯ２００７／０７２７９５号公報に示された蛍光体粒子、ＷＯ２００７／０７２７９６号公報に示された放射性物質粒子、ＷＯ２００８／１４３０８７号公報に示された構造色発現体が、採用可能である。【００１０】
情報担体の読み取りには、これら特開平１０−４４６５０号公報、特開２００３−２９６３６号公報、ＷＯ２００７／０７２７９３号公報、ＷＯ２００７／０７２７９４号公報、ＷＯ２００７／０７２７９５号公報、ＷＯ２００７／０７２７９６号公報に記載された手段の他に読み取り手段を異なる方向から読み取るように複数設ける。【００１１】
カード錠に保存されるデータは、錠に格納されている暗号鍵を用いて暗号化／復号される。【００１２】
カード錠とカード鍵の対応性を強固にするために、カード錠の読み取り装置の構成にバラ付きを与える。【００１３】
さらに、カードに光学媒体、磁気媒体、ＩＣチップ等の記憶媒体を取り付け、これらの記憶媒体にＷＯ２００７／０７２７９３号公報、ＷＯ２００８／１４３０８７号公報に記載されている暗号技術を用いてカード鍵情報を暗号化して保存する。【００１４】
３次元的情報は、カード鍵の全面に付与されるものと、カード鍵の一部分に付与されているものがある。【００１５】
カード鍵の損傷・汚損を防止するために、カード鍵をシャッター付きカセットに収納する。
【発明の効果】
【００１６】
この出願に係る発明でカードに形成する特開平１０−４４６５０号公報に示された透明媒体に混入された金属粒子、特開２００３−２９６３６号公報に示された透明媒体に混入された繊維片、ＷＯ２００７／０７２７９４号公報に示されたホログラム、ＷＯ２００７／０７２７９５号公報に示された蛍光体粒子、ＷＯ２００７／０７２７９６号公報に示された放射性物質粒子、ＷＯ２００８／１４３０８７号公報に示された構造色発現体はいずれも、立体的配置を有しているため、複製することあるいはクローンを作成することは不可能である。【００１７】
カード鍵自体の正当性を証明する自己証明チップをカード鍵に分離不能に設けたことにより、安全性はより高くなる。【００１８】
カード鍵をカセットに収納することにより、カード鍵の損傷・汚損が防止される。【００１９】
カード鍵がそのカード鍵を使用する錠に登録されているため、登録されていない他の鍵で解錠することは不可能である。【００２０】
カード錠の読み取り装置の特性をバラつかせることにより、カード錠とカード鍵の対応性が強固になる。【００２１】
カード鍵にＩＤを付与することにより、特定のカード鍵を使用不能にすることも可能である。【００２２】
使用可能なカード鍵はそのカード錠に登録されているから、カード錠に基づいて入構者あるいは入室者を把握することができる。【００２３】
カード錠は登録により使用可能となるから、１個のカード鍵を複数のカード錠に登録しておくことにより、マスターキーを得ることができる。【００２４】
カード錠に登録することにより、カード鍵はそのカード錠で使用可能になるから、１個のカード錠に複数のカード鍵を登録すれば複数人が１個のカード錠を解錠することが可能であり、予備鍵を作成することも容易である。
【図面の簡単な説明】
【００２５】
【図１】この出願に係る発明のカード鍵で使用する、金属粒子が透明媒体に分散されたカード鍵情報チップの構造。
【図２】この出願に係る発明のカード鍵で使用する、繊維片が透明媒体に分散されたカード鍵情報チップの構造。
【図３】この出願に係る発明のカード鍵で使用する、規則的に配置され偶然により形成された複写不可能な単色エンボスホログラムカード鍵情報チップの構造。
【図４】この出願に係る発明のカード鍵で使用する、偶然により配置形成された複写不可能な単色エンボスホログラムカード鍵情報チップの構造。
【図５】この出願に係る発明のカード鍵で使用する、偶然により配置形成された複写不可能な多色エンボスホログラムカード鍵情報チップの構造。
【図６】この出願に係る発明のカード鍵で使用する、蛍光物質粒子が透明媒体に分散されたカード鍵情報チップの構造。
【図７】この出願に係る発明のカード鍵で使用する、放射性物質粒子が媒体に分散されたカード鍵情報チップの構造。
【図８】この出願に係る発明のカード鍵で使用する、単色構造色片がランダムに配置されたカード鍵情報チップの構造。
【図９】この出願に係る発明のカード鍵で使用する、単色構造色片が規則的に配置されたカード鍵情報チップの構造。
【図１０】この出願に係る発明のカード鍵で使用する、多色構造色片がランダムに配置されたカード鍵情報チップの構造。
【図１１】この出願に係る発明のカード鍵で使用する、塗布により不均一に形成され構造色カード鍵情報チップの構造。
【図１２】この出願に係る発明のカード鍵で使用する、ランダムに散布された液滴により形成された多色構造色カード鍵情報チップの構造。
【図１３】実施例１のカード鍵の構造。
【図１４】実施例２のカード鍵の構造。
【図１５】実施例３のカセット収納カード鍵の構造。
【図１６】実施例４のカセット収納カード鍵の構造。
【図１７】実施例５のカセット収納カード鍵の構造。
【図１８】実施例６のカード鍵−カード錠システムの説明。
【図１９】実施例７のカード鍵−カード錠システムの説明。
【図２０】実施例８のカード鍵−カード錠システムの説明。
【図２１】実施例９のカード鍵の構造。
【図２２】実施例１０のカード鍵の構造。
【図２３】実施例１１のカセット収納カード鍵の構造。
【図２４】実施例１２のカセット収納カード鍵の構造。
【図２５】実施例１３のカード鍵の製造方法の説明。
【図２６】実施例１４のカード鍵の製造方法の説明。
【図２７】実施例１５のカード鍵の製造方法の説明。
【図２８】実施例１６のカード鍵の製造方法の説明。
【図２９】実施例１７のカード錠装置の説明。
【図３０】実施例１８のカード錠装置の説明。
【図３１】実施例１９のカード錠装置の説明。
【図３２】実施例２０のカード錠装置の説明。
【図３３】実施例２１のカード鍵情報読み取り方法の説明。
【図３４】実施例２１のカード鍵情報読み取り方法の具体的説明。
【図３５】実施例２２のカード鍵情報読み取り方法の例。
【発明を実施するための形態】
【００２６】
以下、本件出願に係る発明の実施例を説明する。
初めに、本件出願に係る発明の実施例を説明する前に、本発明で採用する複製不可能な情報担体について説明する。
【００２７】
図１に示したカード鍵情報チップ１０は、情報担体として特開平１０−４４６５０号公報に示された金属粒子を用いている。
この図において、（ａ）は平面図、（ｂ）は断面図である。
このカード鍵情報チップ１０は、情報担体として透明樹脂１１中に金属粒子１２が散布,混合等の手段によりランダムな位置に混入されている。
【００２８】
情報担体である金属粒子１２の透明樹脂１１中における位置は、ランダムであるだけでなく立体的なものであるため、カード鍵情報チップの情報パターンを光学的に複写することはできない。
【００２９】
図２に示したカード鍵情報チップ２０は、情報担体として特開２００３−２９６３６号公報に示された繊維片を用いている。
この図において、（ａ）は平面図、（ｂ）は断面図である。
このカード鍵情報チップ２０は、透明樹脂２１中に複数の繊維片２２が散布，混合等の手段によりランダムに混入されている。
【００３０】
情報担体である繊維片２２の透明樹脂２１中における位置及び大きさはランダムであるだけでなく立体的でもあるため、カード鍵情報チップの情報パターンを光学的に複写することはできない。
【００３１】
図３〜図５に示したカード鍵情報チップは、情報担体としてＷＯ２００７／０７２７９４号公報に示されたピット状あるいはスタッド状のエンボスホログラムを用いている。
【００３２】
図３に示すピット状エンボスホログラムは、特定の波長の光に対してのみエンボスホログラムとして機能する。
この図において、（ａ）は平面図、（ｂ）は断面図である。
このカード鍵情報チップ３０は、基体３１上面に規則的に配列されたピット３２に樹脂３３が散布等の手段によりランダムな位置に充填されることにより、充填されなかったピットのみがピット状エンボスホログラムとして機能する。３３は全体を覆う透明樹脂である。
【００３３】
このピット状エンボスホログラムカード鍵情報チップの情報担体は、基体３１にエッチング材料を散布する等の方法によりランダムな位置に複数のピット３２が形成され、カード鍵情報チップ全体に光反射層が形成されている。ピット３２の上端縁で反射された光とピット３２の底部で反射された光が干渉することによりピット状エンボスホログラムチップとして機能する。
【００３４】
情報担体となるピット３２の位置は散布された樹脂３３によってランダムに選択され、散布された樹脂３３の量が不足あるいは過剰な場合にはそのピットは入射した光に対するピット状エンボスホログラムとして機能しない。このピット状エンボスホログラム情報パターンは光学的に複写をすることはできない。
【００３５】
情報担体となるピット３２の位置及び大きさはランダムであるだけでなく立体的であるため、カード鍵情報チップの情報パターンを光学的に複写することはできない。
【００３６】
図４に示すカード鍵情報チップ４０では、ランダムな位置に配置された複数のピット４２あるいは複数のスタッド４７が特定の波長の光に対してエンボスホログラムとして機能する。
この図において、（ａ）は平面図、（ｂ）はピット状エンボスホログラムの断面図、（ｃ）はスタッド状エンボスホログラムの断面図である。
【００３７】
（ｂ）に示すピット状エンボスホログラムカード鍵情報チップは、基体４１の上面４２のランダムな位置にエッチング等の手段により複数のピット４３が形成され、エンボスホログラムカード鍵情報チップ全体に光反射層が設けられている。ピット４３の上端縁で反射された光とピット４２の底部で反射された光が干渉することによりピット状エンボスホログラムチップとして機能する。４３はピット状エンボスホログラムカード鍵情報チップ４０の全体を覆う透明樹脂である。
【００３８】
情報担体となる複数のピット４２の位置及び大きさは偶然によるだけでなく立体的であるため、ピット状エンボスホログラムカード鍵情報チップの情報パターンを光学的に複写することはできない。
【００３９】
（ｃ）に示すスタッド状エンボスホログラムカード鍵情報チップは、基体４６の上面４７のランダムな位置に樹脂を散布する等の手段により複数のスタッド４８が形成されている。スタッド状エンボスホログラムカード鍵情報チップは全体に光反射層が形成されており、スタッド４８の上端縁で反射された光とスタッド４８の底部で反射された光が干渉することによりエンボスホログラムチップとして機能する。４９はスタッド状エンボスホログラムカード鍵情報チップの全体を覆う透明樹脂である。
【００４０】
情報担体となるスタッド４８の位置及び大きさはランダムであるだけでなく立体的であるため、スタッド状エンボスホログラムカード鍵情報チップの情報パターンを光学的に複写することはできない。
【００４１】
図５に示すエンボスホログラムチップカード鍵情報チップ５０では、ランダムな位置に配置された深さが異なる複数のピット５２あるいは高さが異なる複数のスタッド５７が特定の波長の光に対してエンボスホログラムチップとして機能する。
この図において、（ａ）は平面図、（ｂ）はピット状エンボスホログラムチップの断面図、（ｃ）はスタッド状エンボスホログラムチップの断面図である。
【００４２】
（ｂ）に示すピット状エンボスホログラムカード鍵情報チップは、基体５１の上面５２のランダムな位置にエッチング等の手段により深さが異なる複数のピット５３が形成され、ピット状エンボスホログラムカード鍵情報チップ全体に光反射層が形成されている。ピット５３の上端縁で反射された光とピット５３の底で反射された光が干渉することによりピット状エンボスホログラムとして機能する。５４はピット状エンボスホログラムカード鍵情報チップの全体を覆う透明樹脂である。
【００４３】
情報担体となる複数のピット５３の位置、深さ及び大きさはランダムであるだけでなく立体的であるため、ピット状エンボスホログラムカード鍵情報チップの情報パターンを光学的に複写することはできない。
【００４４】
（ｃ）に示すスタッド状エンボスホログラムカード鍵情報チップは、基体５６の上面５７のランダムな位置に樹脂を散布する等の手段により高さが異なる複数のスタッド５８が形成され、スタッド状エンボスホログラムカード鍵情報チップ全体に光反射層が形成され、スタッド５８の上端縁で反射された光とスタッド５８の基部で反射された光が干渉することによりスタッド状エンボスホログラムとして機能する。５９はスタッド状エンボスホログラムカード鍵情報チップの全体を覆う透明樹脂である。
【００４５】
情報担体となる複数のスタッド５８の位置、高さ及び大きさはランダムであるだけでなく立体的であるため、スタッド状エンボスホログラムカード鍵情報チップの情報パターンを光学的に複写することはできない。
【００４６】
図６に示したカード鍵情報チップ６０は、情報担体としてＷＯ２００７／０７２７９５号公報に示された蛍光体粒子を用いた例である。
この図において、（ａ）は平面図、（ｂ）は断面図である。
【００４７】
カード鍵情報チップ６０の透明樹脂６１中に情報担体として蛍光物質粒６２が分散してランダムに配置されている。蛍光物質を適宜選択することにより、複数の波長の蛍光を発する情報パターンが得られる。
情報担体である蛍光物質粒６２の透明樹脂６１中における配置位置及び得られる蛍光はランダムであるだけでなく、立体的なものであるため、情報パターンを光学的に複写することはできない。
【００４８】
図７に示したカード鍵情報チップ６０は情報担体としてＷＯ２００７／０７２７９６号公報に示された放射性物質粒子を用いている。
この図において、（ａ）は平面図、（ｂ）は断面図である。
【００４９】
カード鍵情報チップ７０の樹脂７１中に放射性物質粒７２が分散してランダムに配置されている。
情報担体である放射性物質粒７２の透明樹脂７１中における配置位置はランダムであるだけでなく、立体的なものであるため、情報パターンを光学的に複写することはできない。
【００５０】
図８〜図１２に示したカード鍵情報チップは情報担体としてＷＯ２００８／１４３０８７号公報に示された構造色発現体を用いている。
【００５１】
構造色とエンボスホログラムとは共に無色透明な媒体中で光の干渉により発現する現象であるが、エンボスホログラムは端縁での干渉により光が出射しないという現象によるものであり、構造色は面での干渉により特定の光が強く出射するという現象であり、観察される事象は異なる。
構造色は同一の構造色片であっても光の入射角度が異なり経路長が異なると、異なる構造色が発現される。したがって、同一のものを得ることは不可能である。
【００５２】
板状、シート状、薄片状の物体により、様々な波長の光が観察される現象がホログラムと呼ばれることがあるが、このような現象のほとんどはホログラムではなく、構造色である。
【００５３】
図８（ａ）に示したカード鍵情報チップ８０は、（ｂ）に断面を示すように樹脂薄片に薄膜が付着した構成を有する構造色薄片８２が透明樹脂８１中にランダムに分散して配置されている。
【００５４】
図９に示したカード鍵情報チップ９０は、（ｂ）に示すように規則的に配列形成された使用光の１／４程度の深さを有する孔９２に樹脂９３等がランダムに充填されることにより、充填された樹脂９３及び／又は全体を覆う樹脂９１により構造色が発現する。
【００５５】
図１０に示したカード鍵情報チップ１００では、（ｂ）に示すように複数種類の厚さを有する構造色薄片１０１，１０２，１０３が透明な樹脂媒体中にランダムに分散して配置されている。構造色は構造色薄片の厚さによりランダムに異なったものが発現する。
【００５６】
図１１に示したカード鍵情報チップ１１０では、流動性を有する樹脂等の材料１１２が不均一に塗布され、その後固体化され、全体が樹脂１１１により覆われている。
この構成の場合に発現する構造色の色及び発現位置は全くの偶然によるランダムなものである。
【００５７】
図１２に示したカード鍵情報チップ１２０は構造色薄片に代えて流動性を有する樹脂等の材料１２２の液滴が噴霧され、その後固体化され、全体が樹脂１２１により覆われている。
この構成の場合に発現する構造色の色及び発現位置も全くの偶然によるランダムなものである。
【００５８】
図１〜図１２に説明したカード鍵情報チップを採用して構成したカード鍵の実施例を図１３〜図２１により説明する。
なお、実施例ではカード鍵情報チップとして図１０で説明した構造色薄片を情報担体として用いたものを示すが、その他の金属粒子、繊維片、ホログラム、蛍光体粒子、放射性物質粒子、構造色発現体も当然に採用可能である。
【実施例１】
【００５９】
図１３に示すのは、カード鍵であり、（ａ）は１部にカード鍵情報チップが取り付けられた実施例１のカード鍵の全体図、（ｂ）はその断面図である。
カード鍵１３０は、基板１３１に貼り付けられた表面板１３３の中央にカード鍵情報チップ１３２が取り外し不可能に取り付けられている。
ここに示した取り付け構成では小型のカード鍵情報チップ１３２が表面板１３３の中央部に嵌め込まれているが、取り付け位置及びカード鍵情報チップ１３２の大きさはこの例に限定されず、様々な位置が可能である。
【実施例２】
【００６０】
図１３に示されたカード鍵１３０が表面板１３３の中央に嵌め込まれた小型のカード鍵情報チップ１３２を有しているのに対し、図１４に示すカード鍵はその全面がカード鍵情報チップとされ、言い換えればカード鍵自体がカード鍵情報チップとなっている。そのためカード鍵の安全性はより高いものとなる。【００６１】
図１４において（ａ）はカード鍵の全体図、（ｂ）は断面図である。
カード鍵１４０は、基板１４１の全表面を覆う透明樹脂１４５中のランダムな位置に情報パターンを構成する構造色薄片１４２，１４３，１４４が埋設されている。
情報パターンの読み取りにおいては、カード鍵情報チップ１４０の全表面が読み取りの対象となりうる。
【実施例３】
【００６２】
図１〜図１２で説明したカードのカード鍵情報チップは図７に示した放射性物質粒を除いて光学情報を有しているため、カード表面の損傷、汚損に対する耐性は低い。
一方、鍵として使用されるカードはポケットやバッグの中に雑然と収納されることが多く、損傷、汚損される機会が高い。
そのために、読み取られるカード鍵情報チップをシャッタにより保護する。【００６３】
図１５に、横開きシャッタを採用した例を示す。
この図において、（ａ）及び（ｃ）はカード鍵が非使用時でシャッタが閉じている状態、（ｂ）及び（ｄ）は同じく使用時にシャッタが開いている状態を示す図であり、（ｃ）及び（ｄ）は断面図である。
また、（ｅ）はカード鍵装置を構成する要素の分解図である。【００６４】
カード鍵１５０は、カード鍵の本体１５１、カード鍵の本体１５１を収納する収納部１５６を有する筐体１５２、読取用窓１５４が形成されカード鍵１５１が収納された筐体１５２を覆う蓋板１５５、蓋板１５５の上に取り付けられ左右に摺動して読取用窓１５４を開閉するシャッタ１５３から、構成される。【００６５】
この構成は収納されるカード鍵が回転しない点を除き、３.５インチフレキシブルディスク等で採用されているシャッタ構造をそのまま採用することができる。
その場合、挿入方向を規制するためにカード鍵の形状を正方形ではないものとし、先頭部分に切り落とし部を形成し、表面に挿入方向を示す等適宜な構成を採用する。【００６６】
挿入方向の指示に従い、カード鍵１５０を読取装置に挿入すると、（ａ）に示したように閉じていたシャッタ１５３が読取装置により（ｂ）に示したように開き、窓１５４を経由してカード鍵１５１に形成された情報パターンが読み取り可能になる。
【実施例４】
【００６７】
図１６に、縦開きシャッタを採用した例を示す。
この図において、（ａ）はカード鍵が非使用時でシャッタが閉じている状態、（ｂ）は同じく使用時にシャッタが開いている状態である。
なお、図１５に示した断面図及び分解図は説明を簡便にするために省略する、【００６８】
カード鍵１６０は、カード鍵の本体１６１、カード鍵の本体１６１を収納する収納部を有する筐体１６２、読取用窓１６４が形成されカード鍵１６１が収納された筐体１６２を覆う蓋板、蓋板の上に取り付けられ上下に摺動して読取用窓１６４を開閉するシャッタ１６３から、構成される。【００６９】
挿入方向の指示に従い、カード鍵１６０を読取装置に挿入すると、（ａ）に示したように閉じていたシャッタ１６３が読取装置により（ｂ）に示したように開き、窓１６４を経由してカード鍵１６１に形成されたカード鍵情報チップの情報パターンが読み取り可能になる。
【実施例５】
【００７０】
カード鍵自体に厚さの制限はないから、カード鍵自体を厚くすれば筐体は不要となる。
この構造の実施例を図１７に示す。
この構造を有するカード鍵は部品点数が少なく、構造が単純である。
図１７の実施例では横開きシャッタを採用しているが、図１６の実施例と同様に縦開きとすることもできる。【００７１】
この図において、（ａ）及び（ｃ）はカード鍵が非使用時でシャッタが閉じている状態、（ｂ）及び（ｄ）は同じく使用時にシャッタが開いている状態を示す図であり、（ｃ）及び（ｄ）は断面図である。
また、（ｅ）はカード鍵を構成する要素の分解図である。【００７２】
カード鍵装置１７０は、筐体となりうる十分な厚さを有するカード鍵１７１、読取用窓１７４が形成されカード鍵１７１を覆う蓋板１７５、蓋板１７５の上に取り付けられ左右に摺動して読取用窓１７４を開閉するシャッタ１７３から、構成されている。【００７３】
使用方法及びシャッタの動作は図１５あるいは図１６に示したカード鍵装置と同様なため、説明は省略する。
【実施例６】
【００７４】
図１８に、この出願の発明に係るカード鍵を使用するときの、カード錠の読取装置側の動作例を説明する。
この図において、（ａ）に示すのはカード鍵を使用するための準備過程、（ｂ）に示すのはカード鍵を使用するときの処理過程である。
これらの過程は、光学的読み取りあるいは放射線検出手段と、コンピュータにより行われる。【００７５】
（ａ）にカード鍵の登録過程を示す。
（１）未登録のカード鍵を作成する。
未登録カード鍵にはカード鍵情報チップが図１３に示すようにカード鍵情報チップとして、あるいは図１４に示すようにカード鍵の全面に形成されている。
さらに、必要ならば損傷・汚損防止のため、図１５、図１６、あるいは図１７に示すように、カード鍵をシャッタ付のカード鍵装置に収納する。
カード鍵情報チップは種類、平面的配置及び立体的配置が偶然により決定された情報であるため、偽造・複写は不可能である。【００７６】
（２）カード錠に登録するため、自己証明カード鍵を使用するカード錠の読取装置に挿入する。【００７７】
（３）カード錠の読取装置によりカード鍵情報チップの有するアナログ情報パターンが読み取られる。
読取装置については後に説明するが、読取装置による読み取りにバラつきがあるように読取装置を構成すれば、カード鍵情報チップがアナログ情報であることと相俟って、カード鍵とカード錠の対応関係は緊密になる。【００７８】
（４）認識パターンをデジタル的に処理する必要上、アナログ情報として読み込んだカード鍵情報チップの情報をデジタルデータ（Ｍ）にする。
このデジタル化においてもアナログ情報の読み取りのときと同様に、読み取りに読取装置の構造上のバラつきを利用すること、デジタル化の時間軸のバラつき、閾値のバラつき等を利用することにより、カード鍵とカード錠の対応関係はさらに緊密になる。【００７９】
（５）デジタル化されたデータ（Ｍ）がカード錠のメモリに格納されることにより、カード鍵がカード錠に登録される。【００８０】
（ｂ）にカード鍵を使用して施錠／解錠する課程を示す。
（１）登録されたカード鍵をカード錠の読取装置に挿入する。【００８１】
（２）カード錠の読取装置により、アナログ情報である認識パターン情報が読み取られる。【００８２】
（３）アナログ情報として読み込んだカード鍵情報チップの情報をデジタルデータ（Ｍ'）にする。【００８３】
（４）カード錠のメモリから格納されているデジタルデータ（Ｍ）を読み出す。【００８４】
（５）挿入されたカード鍵のデジタルデータ（Ｍ'）とカード錠のメモリから読み出されたデジタルデータ（Ｍ）を対比し、一致することを確認する。【００８５】
（６）デジタルデータ（Ｍ'）とデジタルデータ（Ｍ）が一致した場合には、カード錠が施錠／解錠される。【００８６】
デジタルデータ（Ｍ'）とデジタルデータ（Ｍ）が一致せず、格納されているデジタルデータが複数である場合には、複数のデジタルデータを順次読み出して、確認・対比を行う。【００８７】
すべてのデジタルデータが一致しなかった場合は、カード鍵が不正な物であるかあるいは何らかの損傷、汚損があると判断し、施錠／解錠は行わない。
【実施例７】
【００８８】
図１９に、この出願の発明に係るカード鍵を使用するときの、カード錠の読取装置側の他の例を説明する。
この例では、安全確保のために暗号技術を採用する。
この図において、（ａ）に示すのはカード鍵を使用するための準備過程、（ｂ）に示すのはカード鍵を使用して施錠／解錠するときの処理過程である。
これらの過程は、光学的読み取りあるいは放射線検出手段と、コンピュータにより行われる。【００８９】
（ａ）にカード鍵の登録過程を示す。
（１）未登録のカード鍵を作成する。
未登録カード鍵にはカード鍵情報チップが図１３に示すようにカード鍵情報チップとして、あるいは図１４に示すようにカード鍵の全面に形成されている。【００９０】
（２）カード錠に登録するため、自己証明カード鍵を使用するカード錠の読取装置に挿入する。【００９１】
（３）カード錠の読取装置がカード鍵情報チップが有するアナログ情報を読み取る。【００９２】
（４）認識パターンをデジタル的に処理する必要上、アナログ情報として読み込んだカード鍵情報チップの情報をデジタル化し、デジタルデータ（Ｍ）を得る。【００９３】
（５）デジタルデータ（Ｍ）をカード錠に保存されている暗号鍵で暗号化し、暗号化データ（Ｅ）を得る。【００９４】
（６）暗号化データ（Ｅ）がカード錠のメモリに格納されることにより、カード鍵がカード錠に登録される。【００９５】
（ｂ）にカード鍵をの使用して施錠／解錠する過程を示す。
（１）登録されたカード鍵をカード錠の読取装置に挿入する。【００９６】
（２）カード錠の読取装置がアナログ情報である認識パターン情報を読み取る。【００９７】
（３）アナログ情報として読み込んだカード鍵情報チップの情報をデジタルデータ（Ｍ'）にする。【００９８】
（４）カード錠のメモリから格納されている暗号化データ（Ｅ）を読み出す。【００９９】
（５）暗号化データ（Ｅ）をカード錠の読み取り装置に保存されている暗号鍵で復号し、復号デジタルデータ（Ｍ）を得る。【０１００】
（６）挿入されたカード鍵のデジタルデータ（Ｍ'）とカード錠のメモリから読み出され復号されたデジタルデータ（Ｍ）を対比し、一致することを確認する。【０１０１】
（７）デジタルデータ（Ｍ'）とデジタルデータ（Ｍ）が一致した場合には、カード錠が施錠／解錠される。【０１０２】
デジタルデータ（Ｍ'）とデジタルデータ（Ｍ）が一致せず、格納されているデジタルデータが複数である場合には、複数のデジタルデータを順次読み出して、確認・対比を行う。【０１０３】
すべてのデジタルデータが一致しなかった場合は、カード鍵が不正な物であるかあるいは何らかの損傷、汚損があると判断し、施錠／解錠は行わない。【０１０４】
なお、図１８において説明した、カード鍵をシャッタ付の筐体に収納すること、読み取りに読取装置の構造上のバラつきを利用すること、デジタル化の時間軸及び閾値のバラつきを積極的に利用することは、この例でも同様なので更なる説明は省略する。
【実施例８】
【０１０５】
図２０に、暗号技術を使用する他の例を説明する。
この図において、（ａ）にカード鍵を使用可能にするための準備過程を、（ｂ）に示すのはカード鍵を使用して施錠／解錠するときの処理過程を示す。
これらの過程は、光学的読み取りあるいは放射線検出手段と、コンピュータにより行われる。【０１０６】
（ａ）にカード鍵の登録過程を示す。
（１）未登録のカード鍵を作成する。
未登録カード鍵にはカード鍵情報チップが図１３に示すようにカード鍵情報チップとして、あるいは図１４に示すようにカード鍵の全面に形成されている。【０１０７】
（２）カード錠に登録するため、自己証明カード鍵を使用するカード錠の読取装置に挿入する。【０１０８】
（３）カード錠の読取装置がカード鍵のカード鍵情報チップの有するアナログ情報を読み取る。【０１０９】
（４）認識パターンをデジタル的に処理する必要上、アナログ情報として読み込んだカード鍵情報チップの情報をデジタル化し、デジタルデータ（Ｍ）を得る。【０１１０】
（５）デジタルデータ（Ｍ）をカード錠に保存されている暗号鍵で暗号化し、暗号化データ（Ｅ）を得る。【０１１１】
（６）暗号化データ（Ｅ）がカード錠のメモリに格納されることにより、カード鍵がカード錠に登録される。【０１１２】
（ｂ）にカード鍵を使用して施錠／解錠する過程を示す。
（１）登録されたカード鍵をカード錠の読取装置に挿入する。【０１１３】
（２）カード錠の読取装置がアナログ情報である認識パターン情報を読み取る。【０１１４】
（３）アナログ情報として読み込んだカード鍵情報チップの情報をデジタルデータ（Ｍ'）にする。【０１１５】
（４）デジタルデータ（Ｍ’）をカード錠の読み取り装置に保存されている暗号鍵で暗号化し、暗号化データ（Ｅ’）を得る。【０１１６】
（５）カード錠のメモリから格納されている暗号化データ（Ｅ）を読み出す。【０１１７】
（６）挿入されたカード鍵の暗号化データ（Ｅ'）とカード錠のメモリから読み出され復号された暗号化データ（Ｅ）を対比し、一致することを確認する。【０１１８】
（７）デジタルデータ（Ｅ'）とデジタルデータ（Ｅ）が一致した場合には、カード鍵が正当なものと判断され、カード錠が施錠／解錠される。【０１１９】
デジタルデータ（Ｅ'）とデジタルデータ（Ｅ）が一致せず、格納されているデジタルデータが複数である場合には、複数のデジタルデータを順次読み出して、確認・対比を行う。【０１２０】
すべてのデジタルデータが一致しなかった場合は、カード鍵が不正であるかあるいは何らかの損傷、汚損があると判断し、施錠／解錠は行わない。【０１２１】
なお、図１８において説明した、カード鍵をシャッタ付のカード鍵に収納すること、カード錠の読取装置による読み取りにバラつきを積極的に利用すること、デジタル化の時間軸及び閾値のバラつきを利用することは、この例でも同様なので更なる説明は省略する。【０１２２】
図２１及び図２２に図１３及び図１４に示したカード鍵の安全性をさらに高めたカード鍵を示す。
これらのカード鍵はカード鍵自体の真正性を自己証明するためのカード鍵情報チップを有している。
また、図２１及び図２２に示した自己証明カード鍵は、損傷あるいは汚損を避けるために、図１５，図１６あるいは図１７に示した筐体に収納されたカード鍵の形態とすることができる。
【実施例９】
【０１２３】
図２１において（ａ）は自己証明カード鍵の全体図、（ｂ）は断面図である。
自己証明カード鍵２１０には基板２１１に貼り付けられた表面板２１２の中央にカード鍵情報チップ２１３及びカード鍵情報チップ２１３のカード鍵情報がデジタルデータ化され、そのデジタルデータがカード錠に格納されている暗号鍵を用いて暗号化され、その暗号化データがカラー２次元バーコード等からなり基板２１１から取り外し不可能に一体に構成された証明チップ２１４に格納されている。
【実施例１０】
【０１２４】
図２２において、（ａ）は自己証明カード鍵の全体図、（ｂ）は断面図である。
この自己証明カード鍵２２０には基板２２１に貼り付けられた表面板２２２の全面にカード鍵情報チップ２２３及びカード鍵情報チップ２２３のカード鍵情報がデジタルデータ化され、そのデジタルデータが暗号化され、その暗号化データが格納されたＲＦＩＤ等のトランスポンダＩＣからなる自己証明チップ２２４が取り外し不可能に一体化されている。【０１２５】
図２１に示されたカード鍵で用いられているカラー２次元バーコード等からなる確認チップに代えてトランスポンダＩＣを用いること、及び図２２に示されたカード鍵で用いられているトランスポンダＩＣに代えてカラー２次元バーコード等からなる確認チップを用いることも可能である。
【実施例１１】
【０１２６】
図２３に、図２１及び図２２に示した自己証明カード鍵を使用するときの、動作を説明する。
この図において、（ａ）に自己証明カード鍵を使用するための準備過程を、（ｂ）に自己証明カード鍵を使用して施錠／解錠するときの処理過程を示す。
これらの過程は、光学的読取あるいは放射線検出手段と、コンピュータにより行われる。【０１２７】
（ａ）に自己証明カード鍵のカード錠への登録過程を示す。
（１）自己証明チップが取り付けられた未登録の自己証明カード鍵を作成する。【０１２８】
未登録自己証明カード鍵にはカード鍵情報チップが図２１に示すようにカード鍵情報チップとして、あるいは図２２に示すように自己証明カード鍵の全面に形成されている。
さらに、必要ならば損傷・汚損防止のため、図１５、図１６、あるいは図１７に示すように、自己証明カード鍵をシャッタ付の筐体に収納する。
カード鍵情報チップは、平面的配置及び立体的配置が偶然により決定されたアナログ情報であるため、偽造・複写は不可能である。【０１２９】
（２）カード錠に登録するため、自己証明カード鍵を使用するカード錠の読取装置に挿入する。【０１３０】
（３）カード錠の読取装置によりカード鍵情報チップの有するアナログ情報が読み取られる。
読取装置については後に説明するが、読取装置による読み取りにバラつきがあるように読取装置を構成すれば、カード鍵情報チップがアナログ情報であることと相俟って、カード鍵と読取装置の対応関係は緊密になる。【０１３１】
（４）認識パターンをデジタル的に処理する必要上、読み込んだカード鍵情報チップのアナログ情報をデジタル化し、デジタルデータ（Ｍ）を得る。【０１３２】
（５）デジタルデータ（Ｍ）をカード錠の読み取り装置に保存されている暗号鍵で暗号化し、暗号化データ（Ｅ）を得る。【０１３３】
（６）暗号化データ（Ｅ）を自己証明カード鍵の証明チップに格納することにより、自己証明カード鍵が錠に登録される。【０１３４】
（ｂ）に示すカード鍵の使用過程は次のように行われる。
（１）登録された自己証明カード鍵を錠のカード錠の読取装置に挿入する。【０１３５】
（２）読取装置がアナログ情報である認識パターン情報を読み取る。【０１３６】
（３）アナログ情報として読み込んだカード鍵情報チップの情報をデジタルデータ（Ｍ'）にする。【０１３７】
（４）デジタルデータ（Ｍ’）をカード錠の読み取り装置に保存されている暗号鍵で暗号化し、暗号化データ（Ｅ’）を得る。【０１３８】
（５）カード錠のメモリから格納されている暗号化データ（Ｅ）を読み出す。【０１３９】
（６）挿入された証明付カード鍵の暗号化データ（Ｅ'）とカード錠のメモリから読み出された暗号化データ（Ｅ）を対比し、一致することを確認する。【０１４０】
（７）デジタルデータ（Ｅ'）とデジタルデータ（Ｅ）が一致した場合には、錠が施錠／解錠される。【０１４１】
デジタルデータ（Ｅ'）とデジタルデータ（Ｅ）が一致せず、格納されているデジタルデータが複数である場合には、複数のデジタルデータを順次読み出して、確認・対比を行う。【０１４２】
すべてのデジタルデータが一致しなかった場合は、カード鍵が不正な物であるかあるいは何らかの損傷、汚損があると判断し、施錠／解錠は行わない。【０１４３】
この構成に加えて自己証明カード鍵のカード錠への登録時に自己証明カード鍵のデジタルデータ（Ｍ）をカード錠に格納し、使用時に自己証明カード鍵から読み取ったデジタルデータ（Ｍ'）と対比することにより、より確実に確認が行われる。【０１４４】
なお、図１８において説明した、カード鍵をシャッタ付のカード鍵に収納すること、読み取りに読取装置の構造上のバラつきを利用すること、デジタル化の時間軸及び閾値のバラつきを利用することは、この例でも同様なので更なる説明は省略する。
【実施例１２】
【０１４５】
図２４に、暗号技術を使用する他の例を説明する。
この図において、（ａ）にカード鍵を使用するための準備過程を、（ｂ）にカード鍵を使用して施錠／解錠するときの処理過程を示す。
これらの過程は、光学的読み取りあるいは放射線検出手段と、コンピュータにより行われる。【０１４６】
（ａ）にカード鍵の登録過程を示す。
（１）未登録のカード鍵を作成する。
未登録カード鍵にはカード鍵情報チップが図１３に示すようにカード鍵情報チップとして、あるいは図１４に示すようにカード鍵の全面に形成されている。【０１４７】
（２）カード鍵を使用するカード錠に登録するため、カード錠の読取装置にカード鍵を挿入する。【０１４８】
（３）カード錠の読取装置がカード鍵情報チップの有するアナログ情報を読み取る。【０１４９】
（４）認識パターンをデジタル的に処理する必要上、アナログ情報として読み込んだカード鍵情報チップの情報をデジタル化し、デジタルデータ（Ｍ）を得る。【０１５０】
（５）デジタルデータ（Ｍ）をカード錠の読み取り装置に保存されている暗号鍵で暗号化し、暗号化データ（Ｅ）を得る。【０１５１】
（６）暗号化データ（Ｅ）を自己証明カード鍵の証明チップに格納することにより、自己証明カード鍵がカード錠に登録される。【０１５２】
（ｂ）にカード鍵を使用して施錠／解錠する過程を示す。
（１）登録されたカード鍵をカード錠の読取装置に挿入する。【０１５３】
（２）カード錠の読取装置がアナログ情報である認識パターン情報を読み取る。【０１５４】
（３）アナログ情報として読み込んだカード鍵情報チップの情報をデジタルデータ（Ｍ'）にする。【０１５５】
（４）デジタルデータ（Ｍ’）をカード錠の読み取り装置に保存されている暗号鍵で暗号化し、暗号化データ（Ｅ’）を得る。【０１５６】
（５）カード錠のメモリから格納されている暗号化データ（Ｅ）を読み出す。【０１５７】
（６）挿入されたカード鍵の暗号化データ（Ｅ'）とカード錠のメモリから読み出され復号された暗号化データ（Ｅ）を対比し、一致することを確認する。【０１５８】
（７）デジタルデータ（Ｅ'）とデジタルデータ（Ｅ）が一致した場合には、カード鍵が正当なものと判断され、カード錠が施錠／解錠される。【０１５９】
デジタルデータ（Ｅ'）とデジタルデータ（Ｅ）が一致せず、格納されているデジタルデータが複数である場合には、複数のデジタルデータを順次読み出して、確認・対比を行う。【０１６０】
すべてのデジタルデータが一致しなかった場合は、カード鍵が不正であるかあるいは何らかの損傷、汚損があると判断し、施錠／解錠は行わない。【０１６１】
この構成に加えて自己証明カード鍵のカード錠への登録時に自己証明カード鍵の暗号化データ（Ｅ）をカード錠に格納し、使用時に自己証明カード鍵から読み取り暗号化した暗号化データ（Ｅ'）と対比することにより、より確実に確認が行われる。【０１６２】
なお、図１８において説明した、カード鍵をシャッタ付のカード鍵に収納すること、読み取りに読取装置の構造上のバラつきを利用すること、デジタル化の時間軸及び閾値のバラつきを利用することは、この例でも同様なのでさらなる説明は省略する。【０１６３】
図２５〜図２８によりカード鍵に使用する基板の製造方法を説明する。
【実施例１３】
【０１６４】
図２５に示すのは、図１４及び図２２に示したカードの全面に情報担体が配置されたカード鍵の製造方法である。
（ａ）に２５０で示すのは例えばカード鍵１６枚分の面積を有する原板である。
この原板２５０上に情報担体２５２をランダムに散布する。
このようにして情報担体２５２がランダムに散布された原板２５０を（ｂ）に示すように切断し、情報担体付カード鍵基板２５１を得る。【０１６５】
情報担体２５２は原板２５０上にランダムに散布されるため、その分布は偶然により決定される。
また、ランダムに散布される情報担体として立体構造を有する情報担体を利用しているので、写真等によって複製を得ることは不可能であり、同じ分布を得るには転写するしかないが、転写することは不可能である。【０１６６】
切断して得られる基板を小さなものとし、カード鍵情報チップとすることもできる。
【実施例１４】
【０１６７】
図２６に示すのは、図１３及び図２１に示した一部にカード鍵情報チップが配置されたカード鍵の製造方法である。
（ａ）に２６０で示すのはカード鍵１６枚分の面積を有する原板である。
この原板２６０にマスク等を利用してその一部のみに情報担体をランダムに散布することによって、カード鍵情報チップ２６２付カード鍵原板を得、この原板を（ｂ）に示すように切断し、カード鍵情報チップ２６２付カード鍵基板２６１を得る。【０１６８】
情報担体は原板上にランダムに散布されているため、その分布は偶然により決定される。
また、散布される情報担体として立体構造を有する情報担体を利用するため、写真等によって複製を得ることは不可能であり、同じ分布を得るには転写するしかないが、転写することは不可能である。
【実施例１５】
【０１６９】
図２７に示すのは情報担体の配置が固定されており、情報担体の情報のみがランダムであるカード鍵の製造方法である。
（ａ）に２７０で示すのはカード鍵１６枚分の面積を有する原板であり、カード鍵原板２７０には全面に亘って孔が規則的に配置されている。【０１７０】
この原板に透光性の未硬化樹脂を薄く不均一に散布し、硬化させてカード鍵情報チップ付カード鍵原板を得、この原板を（ｂ）に示すように切断し、カード鍵基板２７１を得る。
【実施例１６】
【０１７１】
図２８に示すのは、図１１及び図１２に示したカード全面に情報担体が配置されたカード鍵の製造方法である。
（ａ）に２８０で示すのはカード鍵１６枚分の面積を有する原板である。【０１７２】
この原板に透光性の未硬化樹脂２８２を不均一に塗布あるいは散布し、硬化させてカード鍵情報チップ付カード鍵原板を得、この原板を（ｂ）に示すように切断し、カード鍵基板２８１を得る。【０１７３】
塗布による場合は図１１に示した情報パターンが、散布による場合は図１２に示した情報担体が、得られる。【０１７４】
未硬化樹脂２８２は原板２８０上に不均一に塗布あるいは散布されるため、その形状は偶然により決定される。
不均一に散布あるいは散布される樹脂の形状は３次元構造を有するから写真等によって複製を得ることは不可能であり、同じ分布を得るには転写するしかないが、転写することは不可能である。
そのため、光の干渉を利用するホログラムあるいは構造色を利用するカード鍵の偽造、変造は不可能である。【０１７５】
図２９〜図３４により、読取装置を説明する。
カード鍵情報チップに用いる情報担体はすべて光学的に検出することが可能である。光源及び検出光に関しては構造色発現体を用いたカード鍵情報チップが最も単純であるため、カード鍵情報チップは情報担体として構造色発現体を用いたものについて説明し、他の情報担体については構造色発現体を用いた場合と異なる点のみについて説明する。
これらの図において、２９０、３００，３１０，３２０はカード鍵本体、２９１，３０１，３１１，３２１はカード鍵基板、２９３，３０３，３１３，３２３はカード上面板、２９２，３０２，３１２，３２２はカード鍵情報チップである。
【実施例１７】
【０１７６】
図２９に、カード鍵情報チップを面として読み取る方法の最も基本的な構成である撮像装置を用いる読み取り装置を示す。
２９４及び２９５はカード鍵情報チップ２９２を照明するための光源、２９６は撮影用のカメラである。
照明用の光源２９４，２９５には白色ＬＥＤ等の白色光源あるいはＲ，Ｇ，Ｂ各色のＬＥＤが使用される。【０１７７】
光源２９４，２９５に白色光源あるいは同時発光するＲ，Ｇ，Ｂ各色のＬＥＤが用いられる場合には撮影用のカメラとしてＣＣＤカラーカメラ等が用いられる。また、光源２９４，２９５にＲ，Ｇ，Ｂ各色のＬＥＤが用いられ、色毎に順次発光するときにはＣＣＤモノクロカメラ等が用いられる。
なお、光源の種類は白色ＬＥＤに限定されず、他の適宜な光源が使用可能である。また、その数も１個に限定されず、複数とすることも可能である。【０１７８】
情報担体としてエンボスホログラムを使用する場合には、光源としてレーザ素子を用いることが望ましい。【０１７９】
情報担体として蛍光物質を使用する場合には、光源としてＵＶＬＥＤを使用することができる。【０１８０】
情報担体として放射性物質を使用する場合には、光源は使用せずカード鍵情報チップに蛍光板を密着させ、放射線による発光を検出する。【０１８１】
カード鍵２９０がカード錠に取り込まれ停止すると、カード鍵情報チップ２９２が照明光源２９４及び２９５により照明され、カメラ２９６により撮影され、カード鍵情報チップ２９２のカード鍵情報が読み取られる。
【実施例１８】
【０１８２】
図３０に、図２９に示した読取装置とは異なる概念の読取装置を示す。
カード鍵情報チップの情報担体の多くは立体構造を有している。したがって、異なる方向から撮影することにより異なる情報を得ることができる。
この読取装置では光源３０２と撮影用に２個のカメラ３０３及び３０４を使用する。
光源３０２には図２９で使用した白色ダイオードあるいは赤色ＬＥＤ，緑色ＬＥＤ，青色ＬＥＤ等のＬＥＤであり、その配置場所、種類及び数は適宜である。
【実施例１９】
【０１８３】
図３１に、カード鍵情報チップをそのまま面として読み取る読取装置を示す。
この図において、３１４は赤色ＬＥＤ，緑色ＬＥＤ，青色ＬＥＤ等からなる光源とフォトダイオード、フォトトランジスタ、ＣＣＤ、ＣＭＯＳ等の小型の光検出素子を組み合わせて構成された受発光素子３１５がカード鍵情報チップ３１２を覆い隠す大きさに面状に配置された受発光素子マトリクスである。
なお、光源の種類は赤色ＬＥＤ，緑色ＬＥＤ，青色ＬＥＤの３種に限定されない。【０１８４】
情報担体として蛍光物質を使用する場合には、光源としてＵＶＬＥＤを使用することができる。【０１８５】
情報担体として放射性物質を使用する場合には、光源は使用せずカード鍵情報チップに蛍光板を密着させ、放射線による発光を検出する。【０１８６】
カード鍵３１０がカード錠に取り込まれ停止すると、カード鍵情報チップ３１２が面状受発光素子マトリクス３１４の下に位置する。このような状態になると面状に配置された受発光素子マトリクス３１４を構成する受発光素子がカード鍵情報チップ３１２の情報パターンを検出し、カード鍵情報チップ３１２のカード鍵情報が読み取られる。
なお、発光素子を各色毎に順次発光させる色順次方式を採ることにより、光検出素子を大幅に減らすことができる。
【実施例２０】
【０１８７】
図３２に、カード鍵情報チップの面を線の集まりとして読み取る読取装置を示す。
この図において、（ａ）はカード鍵情報チップ読取装置の検出部の概要構成、（ｂ）はカードと線状の光検出装置との対応関係をそれぞれ示す図である。【０１８８】
カード鍵情報チップ３２２の移動方向巾より少し長い長さを有する筐体に赤色受発光素子アレイ３２４，緑色受発光素子アレイ３２５，青色受発光素子アレイ３２６が格納されている。【０１８９】
これらの赤色受発光素子アレイ３２４，緑色受発光素子アレイ３２５，青色受発光素子アレイ３２６は例示であり、他のどのような色の受発光素子の組合せも可能である。【０１９０】
また、受発光素子は点光源あるいは線光源のどちらも利用可能である。【０１９１】
情報担体としてエンボスホログラムを使用する場合には、光源としてレーザ素子を用いることが望ましい。【０１９２】
情報担体として蛍光物質を使用する場合には、光源として１列のＵＶＬＥＤを使用することができる。【０１９３】
情報担体として放射性物質を使用する場合には、光源は使用せずカード鍵情報チップに蛍光板を密着させ、放射線による発光を検出する。【０１９４】
図２９〜図３１に示された読取装置と異なり、図３２の読取装置ではカード鍵情報チップ３２２上のカード鍵情報は読取装置に取り込まれ停止した後ではなく、カード錠３２０が読取装置に取り込まれる取込動作中に読み取られる。【０１９５】
カード錠３２０が読取装置に取り込まれる時に受発光素子アレイ３２４，３２５，３２６の下を通過する。この時に線状に配置された受発光素子のアレイがカード鍵情報チップ３２２中の情報パターンを検出し、カード鍵情報チップ３２２の移動に伴って発生する電気信号を個々の光検出素子毎にアナログ的に連続して、あるいは個々の光検出素子毎にデジタル的に不連続に、あるいはファクシミリやスキャナのように走査して一枚の画像にして、カード鍵情報チップ３２２のカード情報を読み取る。
なお、発光素子を各色毎に順次発光させる色順次方式を採ることにより、光検出素子を大幅に減らすことができる。
【実施例２１】
【０１９６】
図３３〜図３５により図２９の読取装置を用いる場合を例として、真贋判定方法を説明する。
カード鍵情報チップに用いる情報担体はすべて光学的に検出することが可能である。光源及び検出光に関しては構造色発現体がもっとも単純である。そのため、カード鍵情報チップは情報担体として構造色発現体を用いたものについて説明する。【０１９７】
図３３にＷ(White)とした図は白色ＬＥＤとカラーカメラの組合せによって撮影したカード鍵情報チップの例であり、その中にはＲ，Ｇ，Ｂ全ての色の構造色発現体が検出される。
その下にＲ，Ｇ，Ｂで示したのは、カメラのカラーフィルタにより色分離された各々の色を示す構造色発現体の状態である。【０１９８】
図３４，図３５において、Ｗ，Ｒ，Ｇ，Ｂとあるのは各々図４４のＷ，Ｒ，Ｇ，Ｂに対応しており、各々の画像を４つに区分し、第１象限に１，第２象限に２，第３象限に３，第４象限に４と番号を付してある。【０１９９】
区分の仕方は、この他に対角線による区分、さらなる細区分等が必要に応じて可能である。【０２００】
この方法では区分された画像のパターンを検出することなく、その中の構造色の平均光量すなわち総光量を検出する。
この図において「−Ａ」とあるのは、カード鍵情報チップ全体(All)におけるその色の光の総光量、「−Ｔ」とあるのはカード鍵情報チップの上半分(Top)におけるその色の光の総光量、「−Ｂ」とあるのはカード鍵情報チップの下半分(Bottom)におけるその色の光の総光量、「−Ｒ」とあるのはカード鍵情報チップの右半分(Right)におけるその色の光の総光量、「−Ｌ」とあるのはカード鍵情報チップの左半分(Left)におけるその色の光の総光量、「−１」〜「−４」とあるのはカード鍵情報チップの各々の象限におけるその色の光の総光量である。【０２０１】
このようにすると、Ｒ，Ｇ，Ｂ各色について各々９，総計２７の総光量情報を知ることが出来る。
カード鍵情報チップ製造時にカード鍵情報チップから得て保存していた総光量情報と、カード鍵情報チップ検出時に得られた総光量情報を比較することにより、カード鍵情報チップの真贋が判定される。【０２０２】
白色ＬＥＤで得られる白色は擬似的なものであり、カラーカメラで検出する白色もカラーフィルタを用いているため擬似的なものである。
そのため、白色ＬＥＤとカラーカメラの組合せによる光の検出は、発光色とカラーフィルタとの組合せにより検出できるものに限られ、どのような白色ＬＥＤを用い、どのようなカラーカメラを用いるかに、注意を払う必要がある。【０２０３】
使用する色の厳格さを満足するためには、色情報を視覚としてではなく物理的な色情報、すなわち波長に基づいて利用することが望ましい。【０２０４】
照明光源用ＬＥＤとして可視光ＬＥＤの他に、紫外光ＬＥＤ、赤外光ＬＥＤを使用し、組み合わせて、あるいは選択して用いることにより、不正な読み取りは困難になる。【０２０５】
さらに、異なる波長のレーザ光源を用い、非線形素子を用いて、振動数の差又は和として得られる振動数の光を使用することもできる。【０２０６】
その他に判定に利用しうる要素には、各エリア内の最高輝度の値、輝度が既定値より大きなピクセル数、明るいピクセルのまとまりの数、明るいピクセルの輪郭の長さ、明るいピクセルの特徴、分散輝点の重心、２値化した画像についての縦横方向ヒストグラムのヒストグラムのピーク位置とピーク値、輝度情報を重み付けをした各ピクセルのヒストグラムがある。
【産業上の利用可能性】
【０２０７】
以上説明したカード鍵及びカード錠システムで使用するカード鍵を複製することは原理的に不可能であり、その反面カードカード錠に登録することにより使用可能なカード錠を複数にすることが容易である。【０２０８】
このような特性により、特に自動車の鍵に用いた場合にはイモビライザとしての機能も発揮し、有用である。【０２０９】
また、入構規制、入室規制のように複数の人間が入構あるいは入室するような施設の鍵として有用である。【０２１０】
カーシェアリングシステムのような、共同利用システムにおける利用鍵として有用である。
【符号の説明】
【０２１１】
１１，２１，３３，４３，５３，６１，１，９１，１１１，１２１，１４４  透明樹脂
１２  金属粒子
２２  繊維片
３１，４２，４６  孔
６２  蛍光体粒
７２  放射性物質粒
８２，１０２，１４３  構造色薄片
９３，１１２，１２２  樹脂
１３０，１４０，１５１．１６１，１７１，２１０，２２０  カード鍵
１３１，１４１，２１１、２２１  基板
１３３，２１３，２２３，２５２，２６２  カード鍵情報チップ
１４５  透明樹脂
１４２，１４３，１４４  構造色薄片
１５０  カード鍵
１５２，１６２  筐体
１５３、１６３，１７３  シャッタ
１５４、１６４，１７４  読取用窓
１５５，１７５  蓋板
１５６  収納部
１６０，１７０  カード鍵
２１２，２２２  表面板
２１４，２２４  証明チップ
２５０，２６０，２７０，２８０  原板
２５１，２６１，２７１，２８１  カード情報付カード鍵基板
２８２  未硬化樹脂
２９０，３００，３１０，３２０  カード鍵本体
２９１，３０１，３１１，３２１  カード鍵基板
２９２，３０２，３１２，３２２  カード鍵情報チップ
２９３，３０３，３１３，３２３  カード上面板
２９４，２９５  光源
２９６、３０３，３０４  カメラ
３１４  受発光素子マトリクス
３１５  受発光素子
３２４  赤色受発光素子アレイ
３２５  緑色受発光素子アレイ
３２６  青色受発光素子アレイ
【図１】
2010137694.tif 000003
【図２】
2010137694.tif 000004
【図３】
2010137694.tif 000005
【図４】
2010137694.tif 000006
【図５】
2010137694.tif 000007
【図６】
2010137694.tif 000008
【図７】
2010137694.tif 000009
【図８】
2010137694.tif 000010
【図９】
2010137694.tif 000011
【図１０】
2010137694.tif 000012
【図１１】
2010137694.tif 000013
【図１２】
2010137694.tif 000014
【図１３】
2010137694.tif 000015
【図１４】
2010137694.tif 000016
【図１５】
2010137694.tif 000017
【図１６】
2010137694.tif 000018
【図１７】
2010137694.tif 000019
【図１８】
2010137694.tif 000020
【図１９】
2010137694.tif 000021
【図２０】
2010137694.tif 000022
【図２１】
2010137694.tif 000023
【図２２】
2010137694.tif 000024
【図２３】
2010137694.tif 000025
【図２４】
2010137694.tif 000026
【図２５】
2010137694.tif 000027
【図２６】
2010137694.tif 000028
【図２７】
2010137694.tif 000029
【図２８】
2010137694.tif 000030
【図２９】
2010137694.tif 000031
【図３０】
2010137694.tif 000032
【図３１】
2010137694.tif 000033
【図３２】
2010137694.tif 000034
【図３３】
2010137694.tif 000035
【図３４】
2010137694.tif 000036
【図３５】
2010137694.tif 000037
【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
表面にランダムに形成された３次元的鍵情報が分離不能に付与されたカードからなるカード鍵、前記カード鍵の３次元的鍵情報により施錠／解錠するカード錠からなるカード鍵・カード錠システム。
【請求項２】
前記３次元的鍵情報が、透明媒体のランダムな位置に混入された金属粒子からなる請求項１のカード鍵。
【請求項３】
前記３次元的鍵情報が、透明媒体のランダムな位置に混入された繊維片からなる請求項１のカード鍵。
【請求項４】
前記３次元的鍵情報が、ランダムな位置に形成されたホログラムピットからなる請求項１のカード鍵。
【請求項５】
前記３次元的鍵情報が、透明媒体のランダムな位置に混入された蛍光体粒子からなる請求項１のカード鍵。
【請求項６】
前記３次元的鍵情報が、透明媒体のランダムな位置に混入された構造色チップからなる請求項１のカード鍵。
【請求項７】
前記３次元的鍵情報が、ランダムな位置に配置された構造色発現液滴からなる請求項１のカード鍵。
【請求項８】
前記３次元的鍵情報が、不均一に塗布された構造色発現層からなる請求項１のカード鍵。
【請求項９】
前記３次元的鍵情報が、透明媒体のランダムな位置に混入された構造色チップからなる請求項１のカード鍵。
【請求項１０】
前記３次元的鍵情報が、ランダムな位置に配置された放射性物質粒子からなる請求項１のカード鍵。
【請求項１１】
前記３次元的鍵情報が、多色情報を有する請求項４，請求項５，請求項６，請求項７，請求項８及び請求項９のカード鍵。
【請求項１２】
前記カードがシャッタを有するケースに収納された請求項１のカード鍵。
【請求項１３】
さらに、自己証明チップを有し、前記自己証明チップに前記３次元的鍵情報の暗号化データが格納されている請求項１のカード鍵。
【請求項１４】
前記カード鍵のランダムな位置の３次元的鍵情報を登録し、登録された３次元的鍵情報が読み取られたときに施錠／解錠する請求項１のカード錠。
【請求項１５】
前記３次元的鍵情報を暗号化して登録する請求項１４のカード錠。
【国際調査報告】
2010137694.tif 000038
2010137694.tif 000039